(57)【要約】【課題】ユーザがマニュアルステイプル中に、オートシャットダウンタイマがタイムアップしたり、オートシャットダウン時刻になると画像形成装置がシャットダウンしてしまうと、マニュアルステイプル機能の中断が発生する。【解決手段】フィニッシャを接続した画像形成装置とその制御方法であって、画像形成装置が節電状態と、それ以外の電力状態となるように電力供給を制御する電源制御手段を有し、フィニッシャに用紙がセットされたことを検知すると、電源制御手段による節電状態への移行を禁止し、フィニッシャに用紙がセットされていないときは、節電状態に移行する条件に合致したことを条件に、電源制御手段により節電状態へ移行するように制御する。【選択図】図６
2020170161.tif 000002
【特許請求の範囲】
【請求項１】
フィニッシャを接続した画像形成装置であって、
前記画像形成装置が節電状態と、それ以外の電力状態となるように電力供給を制御する電源制御手段と、
前記フィニッシャに用紙がセットされたことを検知すると前記電源制御手段による前記節電状態への移行を禁止し、前記フィニッシャに用紙がセットされていないときは、前記節電状態に移行する条件に合致したことを条件に、前記電源制御手段により前記節電状態へ移行するように制御する制御手段と、
を有することを特徴とする画像形成装置。
【発明の詳細な説明】
【技術分野】
【０００１】
本発明は、画像形成装置に関する。
【背景技術】
【０００２】
画像形成装置は、節電機能の向上により、例えば以下に示すような、複数の節電機能を有している。オートスリープタイマは、ユーザが画像形成装置を一定時間連続して使用しなかった場合に画像形成装置をスリープ状態にする機能である。またオートスリープ時刻は、ユーザが指定した時刻になると、画像形成装置が自動的にスリープ状態になる機能である。オートシャットダウンタイマは、ユーザが画像形成装置を一定時間連続して使用しないときに画像形成装置のシャットダウン処理を実行して画像形成装置をオフ状態にする機能である。更にオートシャットダウン時刻は、ユーザが指定した時刻になると、画像形成装置のシャットダウン処理を実行して画像形成装置をオフ状態にする機能である。
【０００３】
またステイプル付きフィニッシャを有する画像形成装置では、印刷済の用紙をステイプルすることができる。このステイプル付きフィニッシャは、印刷した用紙をステイプルする機能や、画像形成装置の印刷動作とは関係なく、ユーザが用紙の差し込み口に用紙束を入れてステイプルさせるマニュアルステイプル機能等の機能を提供している。
【０００４】
特許文献１に記載の発明は、ステイプル機能を持つフィニッシャ装置において、自動ステイプルと、マニュアルステイプルとを、モード切替スイッチにより切り替えるものである。
【先行技術文献】
【特許文献】
【０００５】
【特許文献１】特開２００５−１０７３２２号公報
【発明の概要】
【発明が解決しようとする課題】
【０００６】
上述のマニュアルステイプル機能を備えた画像形成装置では、マニュアルステイプル機能と節電機能とを同時に有効にすると、マニュアルステイプル中に節電状態に移行してしまう可能性がある。例えば、ユーザがマニュアルステイプル中に、オートスリープタイマがタイムアップしたり、オートスリープ時刻になると画像形成装置が節電状態になってしまい、マニュアルステイプル機能の中断が発生する。またユーザがマニュアルステイプル中に、オートシャットダウンタイマがタイムアップしたり、オートシャットダウン時刻になると画像形成装置のシャットダウン処理が実行されオフ状態になってしまう。この場合も、マニュアルステイプル機能の中断が発生する。
【０００７】
これ以外にも、フィニッシャと接続された画像形成装置では、画像形成装置がスリープ状態やシャットダウン状態に移行すると、フィニッシャで実行されている機能の実行が中断されるといった事態が発生する。また、そのような構成の画像形成装置において、フィニッシャだけを単独で使用したい場合にも、画像形成装置をスリープモードから復帰させる必要があり、使い勝手が悪かった。
【０００８】
本発明の目的は、上記従来技術の問題点を解決することにある。
【０００９】
本発明の特徴は、画像形成装置が節電状態になることによりフィニッシャの機能が中断するのを防止する技術を提供することにある。
【課題を解決するための手段】
【００１０】
上記目的を達成するために本発明の一態様に係る画像形成装置は以下のような構成を備える。即ち、
フィニッシャを接続した画像形成装置であって、
前記画像形成装置が節電状態と、それ以外の電力状態となるように電力供給を制御する電源制御手段と、
前記フィニッシャに用紙がセットされたことを検知すると前記電源制御手段による前記節電状態への移行を禁止し、前記フィニッシャに用紙がセットされていないときは、前記節電状態に移行する条件に合致したことを条件に、前記電源制御手段により前記節電状態へ移行するように制御する制御手段と、を有することを特徴とする。
【発明の効果】
【００１１】
本発明によれば、フィニッシャが操作されているときは、画像形成装置がスリープやシャットダウンなどの節電状態にならないようにして、画像形成装置が節電状態になることによりフィニッシャの機能が中断するのを防止できる。
【００１２】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１３】
添付図面は明細書に含まれ、その一部を構成し、本発明の実施の形態を示し、その記述と共に本発明の原理を説明するために用いられる。
【図１】実施形態１に係る画像形成装置（複合機）の構成を説明するブロック図。
【図２】実施形態１に係る画像形成装置の機構を説明する機構図。
【図３】実施形態１に係るフィニッシャの断面図。
【図４】実施形態１に係るステイプラの断面図。
【図５】実施形態１に係る画像形成装置の操作部の上面図。
【図６】実施形態１に係る画像形成装置の電源系統を説明するブロック図。
【図７】実施形態１に係る画像形成装置の制御部の構成を説明するブロック図。
【図８】実施形態１に係る画像形成装置がスリープ状態のときの給電状態を説明するブロック図。
【図９】図７に示す構成を、制御部の電源制御・リセット回路の回りだけに着目したブロック図。
【図１０】実施形態１に係る画像形成装置がスリープ状態（節電状態）に移行する際の処理を説明するフローチャート。
【図１１】図１０のＳ１００４で節電機能を実行するときの実施形態１に係る処理を説明するフローチャート（Ａ）と、図１０のＳ１００４で節電機能を実行するときの実施形態２に係る処理を説明するフローチャート（Ｂ）。
【図１２】実施形態３に係る画像形成装置の処理を説明するフローチャート（Ａ）と、実施形態４に係る画像形成装置の処理を説明するフローチャート（Ｂ）。
【図１３】実施形態５に係る画像形成装置の処理を説明するフローチャート。
【図１４】実施形態６に係る画像形成装置の処理を説明するフローチャート。
【図１５】実施形態７に係る画像形成装置の電源系統を説明するブロック図。
【図１６】実施形態７に係る画像形成装置の処理を説明するフローチャート。
【発明を実施するための形態】
【００１４】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１５】
［実施形態１］
図１は、実施形態１に係る画像形成装置（複合機）１の構成を説明するブロック図である。
【００１６】
画像形成装置１は、スキャナ部２、制御部３、プリンタ部４、操作部５、ＦＡＸ部７等を備える。スキャナ部２は、原稿を読み取って、その原稿画像に対応する画像データを生成する。プリンタ部４は、画像データに基づいて用紙（シート）に画像を印刷する。ハードディスク６は、画像データや制御プログラム等を記憶している。ＦＡＸ部７は電話回線等に接続して画像データ（ファクシミリデータ）の送受信を行う。制御部３は、これら各部に指示を出力して、この画像形成装置１の動作を制御する。また画像形成装置１はＬＡＮ８経由でコンピュータ（ＰＣ）９との間で画像データを入出力、ジョブの発行や機器の指示等も行なうこともできる。
【００１７】
スキャナ部２は、原稿束を積載し、原稿を一枚ずつスキャナユニット２２に搬送する原稿給紙ユニット２１、原稿を光学的に走査してデジタル画像データに変換するスキャナユニット２２を有し、こうして得られた画像データは制御部３に送信される。プリンタ部４は、用紙を一枚ずつ逐次給紙可能な給紙ユニット４２、給紙された用紙に画像を印刷するためのマーキングユニット４１、印刷後の用紙を排紙する排紙ユニット４３を有する。
【００１８】
フィニッシャ１００は、画像形成装置１のプリンタ部４の排紙ユニット４３から排紙された用紙に対して、排紙、ソート、ステイプル、パンチ、裁断、などの後処理を施す。電源スイッチ１０１は、この画像形成装置１の電源のオン／オフを行うためのスイッチである。
【００１９】
以下、この画像形成装置１の有する機能を説明する。
・複写機能
スキャナ部２で得られた画像データをハードディスク６に記憶したり、プリンタ部４により印刷する。
・画像送信機能
スキャナ部２で得られた画像データを、ＬＡＮ８を介してコンピュータ９等に送信する。
・画像保存機能
スキャナ部２で得られた画像データをハードディスク６に記憶し、必要に応じて、その画像データの送信や印刷を行なう。
・画像印刷機能
コンピュータ９から受信した、例えばページ記述言語で記述された印刷ジョブを解析してプリンタ部４で印刷する。
【００２０】
図２は、実施形態１に係る画像形成装置１の機構を説明する機構図である。
【００２１】
スキャナ部２において、原稿給送ユニット１２５０は原稿を１枚ずつプラテンガラス１２１１へ給送し、原稿の読み取り動作終了後、プラテンガラス１２１１上の原稿を排出トレイ１２１９に排出する。原稿がプラテンガラス１２１１に搬送されると、ランプ１２１２を点灯し、光学ユニット１２１３の移動を開始させて原稿を露光走査する。この時の原稿からの反射光は、ミラー１２１４〜１２１６、及びレンズ１２１７によってＣＣＤイメージセンサ（以下、ＣＣＤ）１２１８へ導かれる。このようにして、走査された原稿の画像はＣＣＤ１２１８によって画像データに変換され、その画像データは所定の処理が施された後、制御部３に転送される。
【００２２】
プリンタ部４のレーザドライバ１３２１はレーザ発光部１３２２を駆動し、制御部３から出力された画像データに応じたレーザ光をレーザ発光部１３２２に発光させる。このレーザ光は感光ドラム１３２３を照射し、その感光ドラム１３２３の表面にはレーザ光に応じた潜像が形成される。この感光ドラム１３２３の潜像の部分には現像器１３２４によって現像剤が付着される。そして、レーザ光の照射開始と同期したタイミングで、カセット１３１１〜１３１４及び手差し給紙段１３１５のいずれかから用紙を給紙する。その後、その用紙は搬送路１３３１を通って転送部１３２５に送られ、そこで感光ドラム１３２３に付着している現像剤が用紙に転写される。こうして現像剤が転写された用紙は搬送ベルト１３２６によって定着部１３２７に搬送され、定着部１３２７の熱と圧力により現像剤が用紙に定着される。その後、定着部１３２７を通過した用紙は搬送路１３３５，１３３４を通過して排紙ビン１３２８に排出される。また或いは印刷面を反転して排紙ビン１３２８に排出する場合には、定着済の用紙は搬送路１３３６，１３３８まで導かれ、そこから用紙は逆方向に搬送され、搬送路１３３７，１３３４を通過して排紙される。排紙ビン１３２８は取り外し可能で、折り装置（不図示）介してフィニッシャ１００へ排出することも可能である。
【００２３】
また、両面印刷が設定されている場合は、用紙は定着部１３２７を通過した後、搬送路１３３６からフラッパ１３２９によって、搬送路１３３３に導かれる。その後、用紙は逆方向に搬送され、フラッパ１３２９によって、搬送路１３３８、再給紙搬送路１３３２へ導かれる。こうして再給紙搬送路１３３２へ導かれた用紙は、上述したタイミングで搬送路１３３１を通って転写部１３２５へ給紙される。
【００２４】
続いて、図３と図４とを参照してフィニッシャ１００について説明する。
【００２５】
図３は、フィニッシャ１００の断面図である。
【００２６】
図４は、ステイプラ６０１の断面図である。
【００２７】
まず、フィニッシャ１００のフィニッシャ部について説明する。フィニッシャ１００は、折り装置４００を介して、排出されたシートを順に取り込む。フィニッシャ１００は、取り込んだ複数のシートを整合して１つの束に束ねる処理、束ねたシート束の後端をステイプルで綴じるステイプル処理、取り込んだシートの後端付近に孔あけをするパンチ処理を行う。更にフィニッシャ１００は、ソート処理、ノンソート処理、製本処理などの各シート後処理を行う。
【００２８】
フィニッシャ１００は、図３に示すように、プリンタ４から排出されたシートを、折り装置４００を介して内部に導くための入口ローラ対５０２と紙厚検知センサ部９０９を有する。この入口ローラ対５０２の下流には、シートをフィニッシャパス５５２、または第１製本パス５５３に導くための切換フラッパ５５１が設けられている。フィニッシャパス５５２に導かれたシートは、搬送ローラ対５０３を介してバッファローラ５０５に向けて送られる。搬送ローラ対５０３とバッファローラ５０５は、正逆転可能に構成されている。入口ローラ対５０２と搬送ローラ対５０３間には、入口センサ５３１が設けられている。また、入口センサ５３１のシート搬送方向上流近傍においては、第２製本パス５５４がフィニッシャパス５５２から分岐している。この分岐点は、入口ローラ対５０２から搬送ローラ対５０３にシートを搬送するための搬送路への分岐を形成する。また、搬送ローラ対５０３が逆転してシートを搬送ローラ対５０３側から入口センサ５３１側に搬送する際には、第２製本パス５５４側のみに搬送されるワンウェイ機構を有する分岐を成す。搬送ローラ対５０３とバッファローラ５０５間には、パンチユニット５５０が設けられており、パンチユニット５５０は必要に応じて動作し、搬送されてきたシートの後端付近に穿孔する。
【００２９】
バッファローラ５０５は、その外周に送られたシートを所定枚数積層して巻き付け可能なローラであって、必要に応じてこのローラの外周には各押下コロ５１２，５１３，５１４により巻き付けられる。バッファローラ５０５に巻き付けられたシートはバッファローラ５０５の回転方向に搬送される。このバッファローラ５０５へのシートの巻きつけは、処理トレイ６３０でステイプル処理を行っている間、後続のシートを一時バッファするときに行われる。巻きつけられた所定枚数のシートは、前の束との衝突が起こらない適切な時間に所定枚数積層されたまま処理トレイ６３０へ搬送される。
【００３０】
押下コロ５１３，５１４間には切換フラッパ５１０が配置されており、押下コロ５１４の下流には切換フラッパ５１１が配置されている。切換フラッパ５１０はバッファローラ５０５に巻き付けられたシートをバッファローラ５０５から剥離してノンソートパス５２１、又はソートパス５２２に導くためのフラッパである。切換フラッパ５１１はバッファローラ５０５に巻き付けられたシートをバッファローラ５０５から剥離してソートパス５２２に、又はバッファローラ５０５に巻き付けられたシートを巻き付けられた状態でバッファパス５２３に導くためのフラッパである。切換フラッパ５１０によりノンソートパス５２１に導かれたシートは、排出ローラ対５０９を介してサンプルトレイ７０１上に排紙される。また切換フラッパ５１０によりソートパス５２２に導かれたシートは、搬送ローラ５０６，５０７を介して中間トレイ（以下、処理トレイ）６３０上に積載される。こうして処理トレイ６３０上に束状に積載されたシートは、必要に応じて整合処理、ステイプル処理などが施された後、排出ローラ６８０ａ，６８０ｂによりスタックトレイ７００上に排出される。処理トレイ６３０上に束状に積載されたシートを綴じるステイプル処理には、ステイプラ６０１が用いられる。スタックトレイ７００は、上下方向に自走可能に構成されている。
【００３１】
図４は、ステイプラ６０１の概略図である。
【００３２】
図４において、当接部としてのドライバ部８２１はステイプル動作時に矢印方向に移動し、シート束Ｐに当接して上面を押さえ、ほとんど同時に、針打ち込み部８２２より針がシート束Ｐに対して打ち込まれる。打ち込まれた針はドライバ部８２１で折り曲げられステイプル処理が完了する。針打ち込み部８２２をドライバ部８２１と一体的に設け、固定された針曲げ部に向かって移動するようにしてもよい。また、ドライバ部８２１と針打ち込み部８２２にセンサを設け、原稿の差し込み口にシート束Ｐが挿入されたことを検知する。
【００３３】
図３に戻り、スイッチ４５０は、ステイプラ６０１を動作させるメカニカルスイッチである。ドライバ部８２１と針打ち込み部８２２のセンサによりシート束Ｐを検知している状態でスイッチ４５０を押すことで、ステイプラ６０１を動作させて、マニュアルステイプルを行う。スイッチ４５０は、操作部５にソフトウェアスイッチを設けることで代替できるが、その説明は割愛する。
【００３４】
次に、フィニッシャ１００の、サドル部について説明する。第１製本パス５５３、第２製本パス５５４を搬送されたシートは、搬送ローラ対８１３によって収納ガイド８２０に収納され、更にシート先端が可動式のシート位置決め部材８２３に接するまで搬送される。搬送ローラ対８１３の上流側には、製本入口センサ８１７が配置されている。また、収納ガイド８２０の途中位置には、２対のステイプラ８１８が設けられており、このステイプラ８１８はそれに対向するアンビル８１９と協働してシート束の中央を綴じるように構成されている。ステイプラ８１８の下流位置には、折りローラ対８２６が設けられている。折りローラ対８２６の対向位置には、突出し部材８２５が設けられている。この突出し部材８２５を収納ガイド８２０に収納されたシート束に向けて突き出すことにより、シート束は折りローラ対８２６間に押し出される。そして、シート束は、折りローラ対８２６によって折り畳まれた後に、排紙ローラ８２７を介してサドル排出トレイ８３２に排出される。この排紙ローラ８２７の下流側には、製本排紙センサ８３０が配置されている。また、ステイプラ８１８で綴じられたシート束を折る場合には、ステイプル処理が終了した後にシート束のステイプル位置が折りローラ対８２６の中央位置になるように、位置決め部材８２３を所定距離分下降させる。
【００３５】
最後に、フィニッシャ１００の、インサータ部について説明する。
【００３６】
インサータ９００は、フィニッシャ１００の上部に設けられ、トレイ９０１上に積載された表紙或いは合紙であるシート束を順次分離し、フィニッシャパス５５２、または製本パス５５３に搬送する。ここで、インサータ９００のトレイ９０１上には、特殊シートが操作者から見て正視状態で積載される。即ち、特殊シートはその表面が上に向けられた状態でトレイ９０１に積載される。トレイ９０１上に積載された特殊シートは、給紙ローラ９０２によって、搬送ローラ９０３及び分離ベルト９０４からなる分離部に搬送され、最上位のシートから１枚ずつ順次分離されて搬送される。特殊シートの判別は、給紙ローラ９０２と搬送ローラ９０３の間にある、トレイ９０１上に特殊シートがセットされているか否かを検出するためのシートセットセンサ９１０によって判別される。この分離部の下流側には引き抜きローラ対９０５が配置され、この引き抜きローラ対９０５により分離された特殊シートは、安定して搬送パス９０８に導かれる。引き抜きローラ対９０５の下流側には給紙センサ９０７が設けられ、また給紙センサ９０７と入口ローラ対５０２との間には、搬送パス９０８上の特殊シートを入口ローラ対５０２に導くための搬送ローラ９０６が設けられている。
【００３７】
図５は、実施形態１に係る画像形成装置１の操作部５の上面図である。
【００３８】
操作部５は制御部３と接続され、タッチパネルなどの機能を有する表示部やハードキー等を有し、この画像形成装置１を操作するためのユーザインターフェースを提供している。表示部１５００はタッチパネル機能を有する表示部で、主なモード設定、状況表示はここで行われる。テンキー１５０１は０〜９までの数値を入力するのに使用される。ＩＤキー１５０２は、この画像形成装置１が部門で管理されている場合に、その部門番号と暗証モードを入力する際に使用される。リセットキー１５０３は、設定されたモードをリセットする。ガイドキー１５０４は、各モードについての説明画面を表示するように指示する。ユーザーモードキー１５０５は、ユーザーモード画面に入るためのキーである。割り込みキー１５０６は割り込みコピーを行う場合に使用される。スタートキー１５０７はコピー動作をスタートさせるためのキー、ストップキー１５０８は実行中のコピージョブを中止させるためのキーである。節電キー１５０９は、押下することにより表示部１５００のバックライトが消えてスリープ状態に移行する。コントラスト調整キー１５１０は、表示部１５００のコントラストを調整するためのキーである。カウンタ確認キー１５１１は、押下されると、それまでに使用したコピー枚数の集計を表示するカウント画面が表示部１５００に表示される。ＬＥＤ１５１２は、ジョブの実行中、画像メモリへの画像蓄積中を示す。エラーＬＥＤ１５１３は、ジャム、ドアオープン等装置がエラー状態にある場合に点灯する。電源ＬＥＤ１５１４は、画像形成装置１のメインスイッチがオンであることを示すＬＥＤである。１５５１〜１５５６は、それぞれコピー、スキャンして保存、保存文書の印刷、スキャンして送信、ＦＡＸ、電力見える化、に移行させるためのソフトウェアボタンである。ボタン１５５１は、コピー機能の画面への遷移ボタンである。ボタン１５５２は、スキャナ部２でスキャンした画像データを、ハードディスク６に保存するスキャンして保存機能の画面への遷移ボタンである。ボタン１５５３は、ハードディスク６に保存した画像データを、プリンタ部４で印刷する保存文書印刷機能への遷移ボタンである。ボタン１５５４は、スキャナ部２で得られた画像データを、制御部３からＬＡＮ８を経由し、コンピュータ９へ送るスキャンして送信機能への遷移ボタンである。ボタン１５５５は、スキャナ部２で得られた画像データを、制御部３から、ＦＡＸ部７を経由して電話回線へ送るファックス機能への遷移ボタンである。ボタン１５５６は、画像形成装置１の電力状態を表示部１５００で確認する電力見える化機能への遷移ボタンである。
【００３９】
図６は、実施形態１に係る画像形成装置１の電源系統を説明するブロック図である。
【００４０】
電源制御部３０３は、電源３０１からの常夜電源ライン３０２を介して常時電力が供給されている。但し、電源制御部３０３の消費電力は微弱な電力量に留まるため、スリープ時にはこの電源制御部３０３とスリープからの復帰要因となる箇所のみに通電されるように電力制御が行われる。ＣＰＬＤ（Complex Programmable Logic Device）３０４は、画像形成装置１の各部への電力の供給及び停止を制御するハードウェアロジック回路である。このＣＰＬＤ３０４は、予め下記に示す所望の動作を実行するようプログラムされている。即ち、ＩＯ信号Ｖ＿ＯＮ３０７によってリレースイッチ３０８をオン／オフすることにより、電源３０１から非常夜電源ライン３０９を経由するコントローラ３への給電を制御する。また、ＣＰＵ２０１により複数のタイマ値が設定され、タイマ起動時にはＣＰＵ２０１によって設定された動作を実行する。また、ＩＯ信号Ｐ＿ＯＮ３１０によってリレースイッチ３１１をオン／オフすることにより、電源３０１から非常夜電源ライン３１２を経由するプリンタ部４への給電を制御する。また、ＣＰＵ２０１の指示によって所定のＩＯ信号を動作させることができる。ＩＯ信号は、プリンタ部４のＣＰＵ３２０へ接続されたＤＣＯＮ＿ＬＩＶＥＷＡＫＥ信号３０５を含む。この信号３０５がアサートされた状態でプリンタ部４の電源が投入されると、プリンタ部４は可動部を制御したり電力を使ったりする特定の動作を行わずに静かに復帰する。この特定の動作には、例えば、モータ、ローラ、ポリゴンなどの回転動作や、ドラム３２１〜３２４の温調やＦＡＮ３２５による排熱処理といった制御がある。
【００４１】
プリンタ部４のＣＰＵ３２０は、割り込みを通知するＩＮＴ＿ＤＣＯＮ信号３０６に従って、センサなどの割り込みをＣＰＬＤ３０４に通知する。ＣＰＬＤ３０４は、この割り込みの通知を受けるとＩＯ信号のＰ＿ＯＮ信号３１０によりスイッチ３１１をオンにして、電源３０１から非常夜電源ライン３１２を経由してプリンタ部４に給電する。
【００４２】
フィニッシャ１００のＣＰＵ３３０は、割り込み通知するＩＮＴ＿ＡＣＣ信号３３５により、センサなどからの割り込みをプリンタ部４のＣＰＵ３２０に通知し、更にＣＰＵ３２０はＩＮＴ＿ＤＣＯＮ信号３０６によりＣＰＬＤ３０４に通知する。ＣＰＬＤ３０４はこの割り込みを受けて、ＩＯ信号のＰ＿ＯＮ３１０によりスイッチ３１１をＯＮにする。これにより電源３０１から非常夜電源ライン３１２、プリンタ部４、非常夜電源ライン３３６を経由して、フィニッシャ１００に給電される。このようにフィニッシャ１００に給電することでステイプラ６０１にも給電することができる。尚、ＣＰＬＤ３０４は、割り込みを受けなくても、必要に応じて給電を制御することもできる。スキャナ部２は、プリンタ部４の説明と同様に、ＣＰＬＤ３０４によりその給電の制御が可能であるが説明が重複するため、その説明を省略する。
【００４３】
図７は、実施形態１に係る画像形成装置１の制御部３の構成を説明するブロック図である。
【００４４】
この制御部３はメインボード２００とサブボード２２０とを有している。メインボード２００は、いわゆる汎用的なＣＰＵ回路である。このメインボード２００は、全体を制御するＣＰＵ２０１、ブートプログラムが含まれるブートＲＯＭ２０２、ＣＰＵがワークメモリとして使用するメモリ２０３、外部バスとのブリッジ機能を持つバスコントローラ２０４、不揮発メモリ２０５を有している。更に、ストレージ装置を制御するディスクコントローラ２０６、半導体デバイスで構成された比較的小容量なストレージ装置であるフラッシュディスク２０７、ＵＳＢを制御するＵＳＢコントローラ２０８等を有する。更にこのメインボード２００にはＵＳＢメモリ２０９、操作部５、ハードディスク６等が接続されている。またＣＰＵ２０１は、各装置からの割り込みや各装置に対する電力供給を制御するＣＰＬＤ３０４と接続されている。更に、メインボード２００は、ネットワークコントローラ２１１、リアルタイムクロック（ＲＴＣ）２１２、ＵＳＢコントローラ２０８を有し、操作部５や、スキャナ部２、プリンタ部４、ＦＡＸ部７、フィニッシャ１００等と接続されている。
【００４５】
サブボード２２０は比較的小さな汎用ＣＰＵシステムと、画像処理用のハードウェアを具備している。サブボード２２０はＣＰＵ２２１、ＣＰＵ２２１がワークメモリとして使用するメモリ２２３、外部バスとのブリッジ機能を持つバスコントローラ２２４、不揮発メモリ２２５、画像処理部２２７とデバイスコントローラ２２６等を有する。スキャナ部２とプリンタ部４は、デバイスコントローラ２２６を介して、デジタル画像データの受け渡しを行なう。ＦＡＸ部７はＣＰＵ２２１が直接制御している。
【００４６】
尚、この図７はブロック図であり簡略化している。例えばＣＰＵ２０１，ＣＰＵ２２１等にはチップセット、バスブリッジ、クロックジェネレータ等のＣＰＵ周辺ハードウェアが多数含まれているが、説明の粒度的に不必要であるため省略して記載しており、このブロック構成が本発明を制限するものではない。
【００４７】
次に制御部３の動作を、画像の複写を例に説明する。
【００４８】
ユーザが操作部５から画像の複写を指示すると、ＣＰＵ２０１がＣＰＵ２２１を介してスキャナ部２に原稿の読み取り命令を送る。これによりスキャナ部２は、原稿を光学スキャンし、その画像を画像データに変換し、デバイスコントローラ２２６を介して画像処理部２２７に入力する。画像処理部２２７は、その画像データに対して画像処理を実行し、ＤＭＡにより、その処理済の画像データをメモリ２２３に転送して一時保存する。ＣＰＵ２０１は、こうして画像データがメモリ２２３に一定量もしくは全て格納されたことを確認すると、ＣＰＵ２２１を介してプリンタ部４に印刷指示を出す。このときＣＰＵ２２１は、画像処理部２２７にメモリ２２３の画像データのアドレスを教える。メモリ２２３に格納された画像データは、プリンタ部４からの同期信号に従って、画像処理部２２７とデバイスコントローラ２２６によりプリンタ部４に送信されて印刷される。
【００４９】
また複数部の印刷を行なう場合は、ＣＰＵ２０１がメモリ２２３の画像データをハードディスク６に保存し、２部目以降は、そのメモリ２２３から画像データを読み出して印刷する。
【００５０】
図８は、実施形態１に係る画像形成装置１がスリープ状態のときの給電状態を説明するブロック図である。尚、このブロック図は図７のブロック図に対応しており、図７と共通する部分は同じ記号で示している。
【００５１】
スリープ状態とは、電力消費量を抑えつつ、起動時間を通常の起動時よりも早くすることができる状態である。ユーザが操作しない状態で一定時間が経過した時や、操作部５のソフトスイッチを押下した時などに、節電機能を開始し、最終的にスリープ状態に遷移する。
【００５２】
スリープ状態での給電は、制御部３のメモリ２０３、ＣＰＬＤ３０４などの最低限必要な個所に限られる。つまり、図８の網掛けで示す箇所以外が、スリープ状態で給電される箇所を示している。但し、網掛けで示す箇所でも、スリープ状態から復帰するために必要な箇所への給電は行われている。
【００５３】
以下、図８を参照して、本実施形態１に係るスリープ状態における制御部３の動作を説明する。
【００５４】
スリープ状態での給電箇所は、ＣＰＬＤ３０４へスリープ状態からの復帰の割り込みを送るネットワークコントローラ２１１，ＲＴＣ２１２，ＵＳＢコントローラ２０８等である。また操作部５のソフトスイッチ、スキャナ部２とプリンタ部４とフィニッシャ１００の各種センサ、フィニッシャ１００のスイッチ４５０（図３）、ＦＡＸ部７の着信やオフフックを検知する一部の箇所などにも給電されている。
【００５５】
ＣＰＬＤ３０４は、前述のスリープ状態時の給電先から１つ以上の割り込みを受ける。具体例を示すと、例えば、フィニッシャ１００のステイプラ６０１のドライバ部８２１と針打ち込み部８２２のセンサに給電している状態で原稿の差し込み口に原稿が差し込まれた時に、ＣＰＬＤ３０４で割り込みを受ける。また例えば、フィニッシャ１００のスイッチ４５０に給電している状態でスイッチ４５０が押下された時にＣＰＬＤ３０４が割り込みを受ける。こうしてＣＰＬＤ３０４が割り込みを受け付けると、その割り込みが発生したことをＣＰＵ２０１に通知する。ＣＰＵ２０１は、この割り込みの通知を受けて、給電やソフトウェアの状態を通常状態に戻すスリープ状態からの復帰処理を行う。但し、スリープ状態からの復帰要因はシステムによって異なるため、スリープ状態での給電はこの構成に限らない。
【００５６】
図９は、図７に示す構成を、制御部３の電源制御・リセット回路回りだけに着目したブロック図で、その他の部分は簡略化して示している。
【００５７】
リセット回路３５０はメインボード２００のリセット回路である。ブートＲＯＭ２０２は、ハードウェアの基本的な部分を制御するＢＩＯＳを含む。ＣＰＬＤ３０４は、前述したように、割り込みを監視して電力供給を制御している。リセット回路３５２は、サブボード２２０上のリセット回路である。ハードウェア回路３５１，３５３は、各ボード２００，２２０のハードウェア回路で、図７のコントローラ等を含んでいる。
【００５８】
同期型のハードウェアは、リセット信号により内部状態をリセットするため、同期型で組まれたハードウェア回路は、電源オン後、電力が各チップに供給された後に、リセット回路が各ハードウェアをリセットする必要がある。複数のハードウェアチップは主従関係を持つため、リセットシーケンスを設計し、順次リセットを掛けていく。そのため一般的には図９のように、一つのボードに一つのリセット回路を持ち、各々のボード内のリセット動作を、各リセット回路が行うことになる。
【００５９】
メインボード２００は、この画像形成装置１で主となるボードであり、ＣＰＬＤ３０４を有する。ＣＰＬＤ３０４は、電源スイッチ１０１からスイッチ状態の入力などを受け、リレースイッチ３０８を用いて、メインボード２００やサブボード２２０への電力供給を制御する。ＣＰＬＤ３０４は、ＣＰＵ２０１が正常に動作できる場合は、ＣＰＵ２０１の指示に従ってシステムにリセットを掛けることができる。逆に、ＣＰＬＤ３０４は、ＣＰＵ２０１に電力が供給されていない場合は、電源スイッチ１０１の入力を受けるとリレースイッチ３０８をオンして制御部３に電力を供給させる。
【００６０】
ブートＲＯＭ２０２は、低レベルのハードウェア制御ライブラリ等が含まれているＢＩＯＳである。一般的にはＩＢＭ互換機などとの互換性を確保するためのものであり、いわゆるコンピュータシステム上必須ではないが、例えばＡＣＰＩ規格による省電力機能の一部を実行できるため記載した。以上のハードウェア構成をもつ画像形成装置１において、ＣＰＵ２０１は、電源スイッチ１０１がオフになる際に、ＣＰＬＤ３０４を介して電源スイッチ１０１の状態を受け取る。つまりＣＰＵ２０１は、通常、電源オフを検知するとシャットダウンシーケンスを動作させ、ＣＰＬＤ３０４にシャットダウン指示を行う。その結果、ＩＯ信号Ｖ＿ＯＮ３０７によりリレースイッチ３０８をオフにし、電源３０１から非常夜電源ライン３０９を介した制御部３への電力供給を停止させることで、完全にシャットダウンされる。このシャットダウンによりＣＰＵ２０１によるプログラムの実行も完全に終了するため、次回電源スイッチ１０１をオンにした際は、ＣＰＵ２０１のプログラムは通常通り起動することになる。
【００６１】
次に画像形成装置１の起動時の給電について補足する。操作者が画像形成装置１を使用する場合は、電源スイッチ１０１をオンにする。ＣＰＬＤ３０４は、この電源オンを検知するとＩＯ信号Ｎ＿ＯＮ３０７によりリレースイッチ３０８をオンして電源３０１から非常夜電源ライン３０９を介して制御部３に給電する。これによりＣＰＵ２０１は、ハードウェアの初期化を行う。このハードウェアの初期化は、レジスタ初期化、割り込み初期化、カーネル起動時のデバイスドライバの登録、表示部の初期化などを含む。次にＣＰＵ２０１はソフトウェアの初期化を行う。このソフトウェアの初期化は、各ライブラリの初期化ルーチンの呼び出し、プロセスやスレッドの起動、プリンタ部４やスキャナ部２とコミュニケーションを行うソフトウェアサービスの起動、表示部の描画などを含む。こうして初期化処理が終了するとアイドル状態へ移行する。この後、スキャナ部２、プリンタ部４、フィニッシャ１００等に給電する。プリンタ部４、スキャナ部２、フィニッシャ１００は、各々のＣＰＵが電源オンによる初期化動作を開始する。
【００６２】
次に、画像形成装置１のプリンタ部４やスキャナ部２を使っていない通常状態の給電について補足する。通常状態は、全てのユニットに給電されている状態だけでなく、例えば、印刷していない時はプリンタ部４に給電しない状態や、操作部５の表示を消灯しユーザが画像形成装置１の前にいない場合は、スキャナ部２に対して給電しない状態などがある。また、プリンタ部４による印刷完了や、スキャナ部２による読取完了を早めるために、常時、プリンタ部４やスキャナ部２に電力を供給している。しかし、印刷のためのモータやポリゴンを動作させない状態や、印刷のための転写ユニットを温調させない状態や、原稿読取のためのホームポジション検知を動作させない動作待ち状態がある。
【００６３】
次に、画像形成装置１がＰＤＬデータを受信して印刷するときのプリンタ部４やスキャナ部２を使う状態の給電について補足する。
【００６４】
印刷機能におけるプリンタ部４の電源オン／オフについて説明する。制御部３のＣＰＵ２０１は、コンピュータ９からＬＡＮ８を経由して印刷データを受信するとメモリ２０３に格納する。ＣＰＵ２０１は、受信した印刷データを解析し、印刷を実行する場合は印刷ジョブを生成する。ＣＰＵ２０１は、ＩＯ信号Ｐ＿ＯＮ３１０によりスイッチ３１１をオンにしてプリンタ部４に給電する。ＣＰＵ２０１は、こうしてプリンタ部４が使用可能になると印刷ジョブを実行する。ＣＰＵ２０１は、メモリ２０３から、バスコントローラ２０４，２２４、画像処理部２２７、デバイスコントローラ２２６を経由してプリンタ部４へデータを送信する。プリンタ部４は、受信したデータを印刷し、印刷が完了すると、その結果をＣＰＵ２０１へ通知する。ＣＰＵ２０１は印刷が完了すると、ＣＰＬＤ３０４によりＩＯ信号Ｐ＿ＯＮ３１０を出力させてリレースイッチ３１１をオフさせ、電源３０１から非常夜電源ライン３１２によるプリンタ部４への給電を停止する。
【００６５】
図１０は、実施形態１に係る画像形成装置１がスリープ状態（節電状態）に移行する際の処理を説明するフローチャートである。この処理を実行するプログラムは、実行時にはＨＤＤ６からメモリ２０３に展開されそのプログラムをＣＰＵ２０１が実行することにより実現される。
【００６６】
まずＳ１００１でＣＰＵ２０１は、節電機能を開始するタイミングになったかどうかを判定する。この節電機能を開始するタイミングとは、例えば、オートスリープタイマがタイムアップした、オートスリープ時刻になった、オートシャットダウンタイマがタイムアップした、オートシャットダウン時刻になった時点等である。ここで節電機能を開始するタイミングになったと判定するとＳ１００２に進みＣＰＵ２０１は、節電機能の開始を示すフラグ（不図示）をオンする。このフラグは、節電機能を実行するタイミングになったことを示すものでメモリ２０３に設けられている。
【００６７】
次にＳ１００３に進みＣＰＵ２０１は、実際に節電状態に移行するための禁止条件に合致するかどうかを判定する。この禁止条件として、例えば、節電機能を開始するタイミングになったときに印刷ジョブを実行しているなどの条件がある。これは、実行中の印刷ジョブが節電機能により中断されると、目的とする印刷物が得られないという不具合が生じるのを防止するために禁止条件として設定されている。Ｓ１００３で禁止条件に合致する状態であると判定するとＳ１００３で、その禁止条件に合致した状態でなくなるのを待ってＳ１００４に進む。Ｓ１００４でＣＰＵ２０１は、節電状態を実行してスリープ状態に移行する。
【００６８】
このようにして、節電機能を開始するタイミングになって、かつ節電状態に移行できる状態であれば、画像形成装置１はスリープ状態（節電状態）に移行する。
【００６９】
図１１を参照して実施形態１における節電機能を実行するときの処理を説明する。
【００７０】
図１１（Ａ）は、図１０のＳ１００４で節電機能を実行するときの実施形態１に係る処理を説明するフローチャートである。
【００７１】
ここではＳ１１０１でＣＰＵ２０１は、マニュアルステイプラの原稿差し込み口のセンサが原稿を検知したかどうかを判定する。原稿を検知したときはＳ１１０２に進みＣＰＵ２０１は、節電機能を実行しないようにする。尚、このとき前述のＳ１００２でセットしたフラグをオフにしても良い。一方、Ｓ１１０１で原稿を検知しないときはＳ１１０３に進みＣＰＵ２０１は、節電機能を実行するように制御する。
【００７２】
これにより、マニュアルステイプル機能と節電機能を同時に有効にした場合でも、マニュアルステイプル中に節電状態に移行するという不具合を解消できる。即ち、マニュアルステイプル機能を実行しているときは、シャットダウン操作やスリープタイマ等により節電状態に移行する条件が成立したことが知らされても、マニュアルステイプル用の原稿がセットされている限り、節電状態に移行することはない。尚、節電状態へ移行するトリガは、前述したように、オートスリープタイマ、オートスリープ時刻、オートシャットダウンタイマ、オートシャットダウン時刻等に起因して発生する。
【００７３】
［実施形態２］
図１１（Ｂ）は、図１０のＳ１００４で節電機能を実行するときの実施形態２に係る処理を説明するフローチャートである。尚、実施形態２に係る画像形成装置１の構成は前述の実施形態１と同様であるため、その説明を省略する。
【００７４】
この実施形態２では、節電機能を実行できない禁止条件と合致しているために節電機能が実行されない状態で、例えばオートスリープタイマにより節電開始時刻になったことが知らされても節電機能を実行できなかった場合の処理を説明する。
【００７５】
Ｓ１１１０でＣＰＵ２０１は前述のＳ１１０１と同様に、マニュアルステイプラの原稿差し込み口に原稿があるかどうかを判定する。原稿があればＳ１１１１に進んで節電機能を実行しないようにする。一方、Ｓ１１１０で原稿を検知しないときはＳ１１１２に進みＣＰＵ２０１は、原稿を検知して節電機能が実行されない状態の時に、例えばシャットダウンタイマやスリープタイマなどの節電機能の開始時刻になっていたかどうかを判定する。そうであればＳ１１１３に進みＣＰＵ２０１は、その開始時刻になったのに実行されなかった節電機能を直ちに実行して、この処理を終了する。これにより、マニュアルステイプラのセンサが原稿を検知して節電機能が実行できない状態の時に、シャットダウンタイマやスリープタイマなどで節電機能の開始が指示されていたときは、直ぐに節電機能を実行することができる。一方、開始時刻になっていなかったときはＳ１１１４に進みＣＰＵ２０１は、通常通りの手順に従って節電機能を実行する。
【００７６】
このように実施形態２によれば、ステイプラ６０１の原稿の差し込み口に原稿がある場合は、ステイプラ６０１の節電機能の実行を停止できる。またステイプラ６０１の原稿の差し込み口に原稿がない状態になった場合に、差し込み口に原稿があるために実行されなかった節電機能を実行させることができる。
【００７７】
［実施形態３］
図１２を参照して本発明の実施形態３を説明する。尚、実施形態３に係る画像形成装置１の構成は前述の実施形態１と同様であるため、その説明を省略する。
【００７８】
この実施形態３の課題は、フィニッシャ１００の電源がオンの状態と、フィニッシャ１００の電源がオフされているオフの状態と、その中間状態を持つ画像形成装置がある。いま画像形成装置が電源オン状態から電源オフ状態へ移行する中間状態の時に、ユーザがマニュアルステイプラ６０１を実行しようとすると、その実行中にフィニッシャ１００の電源が切られてしまう。
【００７９】
そこで、この課題を解決するために実施形態３では、ステイプラ６０１の原稿の差し込み口に原稿が挟まれている時はステイプラ６０１が電源オフになるのを遅延させる。
【００８０】
図１２（Ａ）は、実施形態３に係る画像形成装置１の処理を説明するフローチャートである。
【００８１】
この処理は、シャットダウン処理やスリープ処理などの節電処理により、ステイプラ６０１を電源オフ状態に遷移することにより開始される。Ｓ１２０１でＣＰＵ２０１は、シャットダウンを開始すると、フィニッシャ１００のステイプラ６０１の原稿の差し込み口に原稿が有るか無いかを原稿検知センサで検知して、原稿があるかどうか判定する。ここで原稿があると判定するとＳ１２０２に進みＣＰＵ２０１は、直ぐにステイプラ６０１の電源オフを実行せずに、その電源オフを予約して処理を終了する。一方、Ｓ１２０１で原稿の差し込み口に原稿がないと判定するとＳ１２０３に進みＣＰＵ２０１は、ステイプラ６０１の電源オフを行う。また電源オフが予約されていた場合も直ぐに電源オフを実行する。
【００８２】
こうして実施形態３によれば、ステイプラ６０１の原稿の差し込み口に原稿がある場合は、ステイプラ６０１の節電処理の実行を遅らせることができる。
【００８３】
［実施形態４］
図１２（Ｂ）は、実施形態４に係る画像形成装置１の処理を説明するフローチャートである。尚、実施形態４に係る画像形成装置１の構成は前述の実施形態１と同様であるため、その説明を割愛する。
【００８４】
実施形態４の課題は、画像形成装置１の表示部１５００がオフの時に、マニュアルステイプラをシャットダウンすると、ユーザは何も分かない状態で、フィニッシャ１００を突然使えなくなるという不具合がある。この実施形態４では、表示部１５００がオフ、且つ、マニュアルステイプラの原稿の差し込み口で原稿を検知している状態でシャットダウンを実行した時は、表示部１５００に電力供給して表示をオンにしてユーザにメッセージなどを表示する。これによりユーザは、その表示部１５００に表示された内容により、マニュアルステイプラがシャットダウンしたことを認識できる。
【００８５】
Ｓ１２１０でＣＰＵ２０１は、フィニッシャ１００のステイプラ６０１の原稿の差し込み口に原稿があるかどうかを判定し、原稿がないときは、そのまま処理を終了する。一方、原稿を検知したときはＳ１２１１に進みＣＰＵ２０１は、表示部１５００のバックライトがオフかどうか判定する。オフでなければＳ１２１３に進むが、表示部１５００のバックライトがオフの場合はＳ１２１２に進みＣＰＵ２０１は、表示部１５００のバックライトをオンしてＳ１２１３に進む。Ｓ１２１３でＣＰＵ２０１は、ステイプラ６０１の原稿差し込み口から原稿を取り除くように指示するメッセージを表示部１５００に表示して、この処理を終了する。
【００８６】
以上説明したように実施形態４によれば、マニュアルステイプラのシャットダウンを、画像形成装置のユーザに通知することができる。
【００８７】
[実施形態５]
図１３は、実施形態５に係る画像形成装置１の処理を説明するフローチャートである。尚、実施形態５に係る画像形成装置１の構成は前述の実施形態１と同様であるため、その説明を割愛する。
【００８８】
この実施形態５では、節電状態の時に、ユーザがマニュアルステイプルしようとステイプラ６０１の原稿差し込み口に原稿を差し込んでも、ステイプルできない点である。
【００８９】
この処理は、画像形成装置１がスリープ状態に移行する場合に開始される。まずＳ１３０１でＣＰＵ２０１は、節電機能を実行して画像形成装置１がスリープ状態となる。次にＳ１３０２に進みＣＰＵ２０１は、フィニッシャ１００のステイプラ６０１の原稿の差し込み口に原稿を検知したかどうかを判定する。これは前述したように、フィニッシャのＣＰＵ３３０が原稿の差し込み口に原稿を検知するとＣＰＬＤ３０４に通知する。これによりＣＰＬＤ３０４信号Ｖ＿ＯＮ３０７によりスイッチ３０８をオンにして制御部３への給電を開始してＣＰＵ２０１が起動して原稿を検知したことを認識するものである。Ｓ１３０２でＣＰＵ２０１は、フィニッシャ１００のステイプラ６０１の原稿の差し込み口に原稿を差し込まれたことを検知するとＳ１３０３に進む。Ｓ１３０３でＣＰＵ２０１は節電状態から復帰して、この処理を終了する。
【００９０】
即ち、Ｓ１３０３でフィニッシャ１００のＣＰＵは、ステイプラ６０１のセンサにより原稿を検知すると割り込み信号ＩＮＴ＿ＡＣＣ３３５によりＣＰＬＤ３０４に通知する。これによりＣＰＬＤ３０４は、ＩＯ信号Ｖ＿ＯＮ３０７によりリレースイッチ３０８をオンして制御部３に通電してＣＰＵ２０１がスリープ状態から復帰する。
【００９１】
実施形態５によれば、画像形成装置１が節電状態のときにステイプラ６０１を使う場合、復帰のために節電キーを押さなくても、ステイプラ６０１に原稿をセットするだけでステイプラを使用できるようになる。
【００９２】
［実施形態６］
図１４は、実施形態６に係る画像形成装置１の処理を説明するフローチャートである。尚、実施形態６に係る画像形成装置１の構成は前述の実施形態１と同様であるため、その説明を割愛する。
【００９３】
この実施形態６では、ステイプラ６０１で針が無い場合は、例えステイプラ６０１の原稿の差し込み口原稿が検知されても節電機能を実行する。例えば、ステイプラ６０１が針無しで、ユーザが針を準備する間は、画像形成装置１はスリープ状態移行する条件が整えばスリープ状態に移行する。
【００９４】
先ずＳ１４０１でＣＰＵ２０１は、フィニッシャ１００のステイプラ６０１の原稿差し込み口に原稿があるかどうかを判定する。原稿が検知されたときはＳ１４０２に進みＣＰＵ２０１は、ステイプラ６０１の針打ち込み部８２２に針があるかどうかを判定する。針があると判定するとＳ１４０３に進みＣＰＵ２０１は、節電機能の実行を禁止して、この処理を終了する。この時、節電機能のタイマなどの停止は行わない。
【００９５】
一方、Ｓ１４０１で原稿がないと判定したとき、或いはＳ１４０２でステイプラ６０１の針打ち込み部８２２に針がないと判定するとＳ１４０４に進む。Ｓ１４０４でＣＰＵ２０１は、図１１（Ｂ）のＳ１１１２と同様に、原稿を検知して節電機能が実行されない状態の時に、例えばシャットダウンタイマやスリープタイマなどの節電機能の開始時刻になっていたかどうかを判定する。そうであればＳ１４０３に進みＣＰＵ２０１は、その開始時刻になったのに実行されなかった節電機能を直ちに実行して、一方、開始時刻になっていなかったときはＳ１４０６に進みＣＰＵ２０１は、通常通りの手順に従って節電機能を実行する。
【００９６】
以上説明したように実施形態６によれば、フィニッシャ１００のステイプラ６０１の針打ち込み部８２２に針が無かった場合は節電機能を停止しないようにできる。これにより、ステイプラが使用できないにも拘らず、フィニッシャ処理のために節電機能を実行できないといった事態の発生を防止できる。
【００９７】
［実施形態７］
次に本発明の実施形態７を説明する。この実施形態７では、フィニッシャ１００が別電源の場合は、フィニッシャ１００が単体でマニュアルステイプルを実施できるので画像形成装置１が節電状態に移行できるようにする。
【００９８】
具体的には、節電停止から節電開始までの節電機能の停止中に、シャットダウンやスリープタイマなどの節電時刻が来ていた場合は、フィニッシャ１００が別電源の場合は直ぐに節電機能を実行する。また実施形態７では実施形態２と同様に、節電機能の実行を遅延させている。しかし、節電機能の実行を遅延させるのではなく、実施形態１と同様に、節電機能の実行を禁止することもできるが、内容の重複になるため、割愛する。
【００９９】
図１５は、実施形態７に係る画像形成装置１の電源系統を説明するブロック図である。尚、前述の図６のブロック図と共通する部分は同じ記号で示し、それらの説明を省略する。
【０１００】
図１５では、フィニッシャ１００の電源スイッチ３３８をオンすると、電源３３７から電源ライン３３９を経由してフィニッシャ１００へ給電される。ここでは前述の実施形態１のように、電源３０１からフィニッシャ１００へ給電しない。
【０１０１】
図１６は、実施形態７に係る画像形成装置１の処理を説明するフローチャートである。尚、実施形態７に係る画像形成装置１の構成は前述の実施形態１と同様であるため、その説明を割愛する。
【０１０２】
この処理は、ユーザによりフィニッシャ１００のステイプラ６０１の原稿差し込み口に原稿が差し込まれたのをドライバ部８２１と針打ちこみ部８２２の原稿検知センサが検知して、ＣＰＵ２０１がセンサ通知を受けることで開始する。まずＳ１６０１でＣＰＵ２０１は、フィニッシャ１００のステイプラ６０１の原稿の差し込み口に原稿があるかどうかを判定する。原稿があると判定したときはＳ１６０２に進みＣＰＵ２０１は、フィニッシャ１００の電源が別電源かどうかをフィニッシャ１００に問い合わせて判定する。具体的には、ＣＰＵ２０１は、バスコントローラ２０４と２２４を経由してサブボード２２０のＣＰＵ２２１へ通信する。更に画像処理部２２７、デバイスコントローラ２２６、プリンタ部４のＣＰＵ３２０を経由してフィニッシャ１００のＣＰＵ３３０と通信する。そしてＣＰＵ２０１は、フィニッシャ１００の電源スイッチ３３８の有無を問い合わせ、その応答を受け取ることでフィニッシャ１００の電源が別電源かどうか判定する。Ｓ１６０２でＣＰＵ２０１が、別電源でないと判定したときはＳ１６０３に進んで、ＣＰＵ２０１は、節電機能の実行を禁止して、この処理を終了する。この場合は、節電機能のタイマなどの停止は行わない。
【０１０３】
一方、Ｓ１６０１で原稿を検知しないと判定した場合、或いはＳ１６０２でフィニッシャ１００が別電源のときはＳ１６０４に進み、ＣＰＵ２０１は、図１１のＳ１１１２等と同様の処理を実行する。即ち、ＣＰＵ２０１は、節電機能の実行を禁止してから節電機能を開始するまでの間に、節電機能タイマのタイムアップや節電機能の指定時刻になっていたかどうかを判定し、なっていた場合はＳ１６０５に進む。Ｓ１６０５でＣＰＵ２０１は、直ぐに節電機能を実行して処理を終了する。またそうでないときはＳ１６０６に進みＣＰＵ２０１は、通常通り節電機能を実行して処理を終了する。
【０１０４】
以上説明したように実施形態７によれば、画像形成装置１とフィニッシャ１００とが別電源である場合は、画像形成装置１がスリープ状態に移行してもフィニッシャに影響を与えないため、画像形成装置１は直ちに節電機能を実行できる。
【０１０５】
（その他の実施形態）
また、上記した実施形態では、節電状態に移行する条件が満たされた場合（Ｓ１００３：Ｙｅｓ）に、節電機能を実行し、その節電機能を実行する際に、ステイプラのセンサが原稿を検知している場合には、節電機能の実行を禁止する例を説明した。しかしながら、本発明では、ステイプラのセンサが原稿を検知していないという条件が、節電状態に移行する条件であっても良い。つまり、Ｓ１００３において、ステイプラのセンサが原稿を検知しない場合に（Ｓ１００３：Ｎｏ）、Ｓ１００４の処理を実行するようにしても良い。
【０１０６】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【０１０７】
本発明は上記実施の形態に制限されるものではなく、本発明の精神及び範囲から離脱することなく、様々な変更及び変形が可能である。従って、本発明の範囲を公にするために、以下の請求項を添付する。
【符号の説明】
【０１０８】
２…スキャン部、３…制御部、４…プリンタ部、５…操作部、１０１…電源スイッチ、２０１…ＣＰＵ、２０３…メモリ、３０４…ＣＰＬＤ
【図１】
2020170161.tif 000003
【図２】
2020170161.tif 000004
【図３】
2020170161.tif 000005
【図４】
2020170161.tif 000006
【図５】
2020170161.tif 000007
【図６】
2020170161.tif 000008
【図７】
2020170161.tif 000009
【図８】
2020170161.tif 000010
【図９】
2020170161.tif 000011
【図１０】
2020170161.tif 000012
【図１１】
2020170161.tif 000013
【図１２】
2020170161.tif 000014
【図１３】
2020170161.tif 000015
【図１４】
2020170161.tif 000016
【図１５】
2020170161.tif 000017
【図１６】
2020170161.tif 000018